(57)【要約】  本発明は、特に自転車などの車両で使用するためのエネルギー効率の良いホイールの形態のエネルギー伝達システムに関し、このエネルギー伝達システムは、車両上の人の重さによって加えられる負荷の形のポテンシャルエネルギーを、ホイールに加えられる駆動トルクの形の運動エネルギーへ変換するように動作可能であり、システムは、内側ハブと、内側ハブに偏心的に結合された外側ハブと、スポークの配列を介して外側ハブに接続されたリムとを含み、一対のフランジを備えるアクチュエータが内側ハブから半径方向外方に延在し、レバーアームのアレイが外側ハブにヒンジ式に取り付けられ、内側および外側ハブ間の相対運動に応答してアクチュエータによってヒンジ式に変位可能であるようにアクチュエータによって係合され、ばねは各レバーアームとスポークの１つとの間に捕捉される。【選択図】図１
2021500270.tif 000002
【特許請求の範囲】
【請求項１】
内側ハブ；外側ハブ；前記内側ハブを前記外側ハブに回転可能に接続するトルク継手；リム；前記外側ハブを前記リムに接続するスポークの配列；前記内側ハブに固定されたアクチュエータ；前記外側ハブにヒンジ式に取り付けられ、それぞれが前記アクチュエータと係合するレバーアームの配列；および、各レバーアームと前記スポークのそれぞれとの間に捕捉されたばねを備えるエネルギー伝達システム。
【請求項２】
各レバーアームに関連付けられた弾性変形可能なストッパであって、前記アクチュエータによる前記レバーアームの様々な変位段階中に前記レバーアームによって係合および圧縮されるように前記アクチュエータ上に配置された弾性変形可能なストッパを備える、請求項１に記載のエネルギー伝達システム。
【請求項３】
前記アクチュエータが、前記内側ハブから延在するフランジであって、前記それぞれのレバーアームの一部が内部に捕捉される開口部の配列を有するフランジを備える、請求項１または２に記載のエネルギー伝達システム。
【請求項４】
各開口部が、実質的に円周方向に延びるスロットを含む、請求項３に記載のエネルギー伝達システム。
【請求項５】
各レバーアームが、前記アクチュエータと係合する当接部を含む、請求項１〜４のいずれか一項に記載のエネルギー伝達システム。
【請求項６】
各当接部が、前記アクチュエータと係合される支持部を含む、請求項５に記載のエネルギー伝達システム。
【請求項７】
前記アクチュエータが、互いに離間した関係で前記内側ハブに固定され、前記内側ハブから半径方向外方に延びる一対のフランジを含む、請求項１〜６のいずれか一項に記載のエネルギー伝達システム。
【請求項８】
前記外側ハブが一対のフランジの間に配置される、請求書７に記載のエネルギー伝達システム。
【請求項９】
各レバーアームが、第１の脚と、そこから延びる第２の脚とを含む実質的にＬ字形であり、前記レバーアームは、前記第１の脚の第１の端部またはその近くで前記外側ハブにヒンジ式に取り付けられ、前記レバーアームは、前記第１の脚の前記第１の端部の遠位の位置で前記アクチュエータと係合する、請求項１〜８のいずれか一項に記載のエネルギー伝達システム。
【請求項１０】
前記ばねが、前記それぞれのスポークと前記レバーアームの前記第２の脚との間に捕捉される、請求書９に記載のエネルギー伝達システム。
【請求項１１】
前記ばねが圧縮ばねを含む、請求項１〜１０のいずれか一項に記載のエネルギー伝達システム。
【請求項１２】
前記各ばねが、前記内側ハブが前記外側ハブ内で吊り下げられて支持されるように前記それぞれのレバーアームを付勢して前記アクチュエータと接触するように配置される、請求項１〜１１のいずれか一項に記載のエネルギー伝達システム。
【請求項１３】
前記外側ハブが、互いに平行に離間した関係にある一対の環状プレートを含む、請求項１〜１２のいずれか一項に記載のエネルギー伝達システム。
【請求項１４】
前記トルク継手が、前記外側ハブに対する前記内側ハブの半径方向の移動、および前記内側ハブと前記外側ハブの間のトルクの同時伝達を可能にするように適合される、請求項１〜１３のいずれか一項に記載のエネルギー伝達システム。
【請求項１５】
前記トルク継手が、前記内側ハブおよび前記外側ハブに重なる環状トルクディスクであって、一対の直径方向に対向する第１の半径方向に延びるガイド経路、および、前記第１のガイド経路に垂直に配置された、一対の直径方向に対向する第２の半径方向に延びるガイド経路を含む環状トルクディスク；前記内側ハブに固定され、前記内側および外側ハブに対して前記トルクディスクを適所に保持するように前記トルクディスクに重なるエンドキャップ；前記外側ハブから前記一対の第１のガイド経路内に延び、それに沿って変位可能な一対の第１のガイド、および前記エンドキャップから前記一対の第２のガイド経路内に延び、それに沿って変位可能な一対の第２のガイドを含む、請求項１４に記載のエネルギー伝達システム。
【請求項１６】
前記ホイールの各面にトルク継手を含む、請求項１〜１５のいずれか一項に記載のエネルギー伝達システム。
【請求項１７】
前記アクチュエータが前記エンドキャップまたは各エンドキャップを画定する、請求書１５または１６に記載のエネルギー伝達システム。
【請求項１８】
前記内側ハブを通って軸方向に延びる車軸を含む、請求項１〜１７のいずれか一項に記載のエネルギー伝達システム。
【請求項１９】
ホイールを含む、請求項１〜１８のいずれか一項に記載のエネルギー伝達システム。
【請求項２０】
自転車ホイールを含む、請求項１９に記載のエネルギー伝達システム。
【発明の詳細な説明】
【技術分野】
【０００１】
本発明は、エネルギー伝達システムに関し、これは、特に好ましい実施形態では、車両、具体的にはしかし非排他的に非電動式車両で使用するための、および最も具体的には自転車で使用するためのエネルギー効率の良いホイールの形態であり、このエネルギー伝達システムは、車両上の人の重さによって加えられる負荷の形のポテンシャルエネルギーを、ホイールに加えられる駆動トルクの形の運動エネルギーに変換するように動作可能である。
【背景技術】
【０００２】
交通手段として自転車に乗ることはますます人気が高まっている。これは、道路の車の交通量が大幅に増加し、移動時間が増えたことに加えて、自転車に乗ることに関連する健康上の利点に対する意識、および全体的により健康的な生活様式に対する意識が高まったためである。
【０００３】
交通手段としての自転車の使用の増加により、これらの新しい通勤者の多様なニーズを満たすために市場に出回る自転車の種類が増加している。例えば、電動自転車またはハイブリッド自転車は、特に通勤時間が長く、したがって、サイクリストが提供する動力を増強できるまたはそれに取って代わることができる車載電気モータが提供する補助を望むサイクリストのニーズを満たすために、ますます人気が高まっている。これらの電動自転車は、体の健康レベルが低下している可能性があるが、それにもかかわらず、上記の理由のために、または体の健康レベルを上げるための努力の一環として、自転車での移動を望むサイクリストにも好まれている。
【０００４】
電動自転車は前述のような多くの利点があることに加えて、排出物がゼロである、したがって環境にやさしい交通手段である一方、予定される旅行のためにバッテリが適切に充電されていることを確実にする必要があり、これは多くの場合、特に往復旅行の復路区間では不可能であり、この場合、バッテリ容量は往路区間から低下しているだろう。適切な充電場所が常に利用できるとは限らず、いずれにしても、電動自転車のバッテリは容量が限られているため、自転車の走行距離は限定的であり、これにより自転車は特定の旅行には適さなくなる可能性がある。現代のほとんどの電動自転車は、例えばバッテリが完全に放電された場合、従来の方法で乗ることができるが、バッテリ、モータ、および関連構成要素の追加重量により、従来の自転車よりも操縦が難しくなる。
【０００５】
したがって、本発明の目的は、車両に動力を供給するのに必要な乗り手の労力を軽減するために、人の重さから生じる負荷の一部を、ホイールを駆動するために加えられるトルクに変換できる車両ホイールを提供することである。
【発明の概要】
【０００６】
本発明によれば、内側ハブ；外側ハブ；内側ハブを外側ハブに回転可能に接続するトルク継手；リム；外側ハブをリムに接続するスポークの配列；内側ハブに固定されたアクチュエータ；外側ハブにヒンジ式に取り付けられ、それぞれがアクチュエータと係合するレバーアームの配列；および、各レバーアームとスポークのそれぞれとの間に捕捉されたばねを備えるエネルギー伝達システムが提供される。
【０００７】
好ましくは、エネルギー伝達システムは、各レバーアームに関連付けられた弾性変形可能なストッパであって、アクチュエータによるレバーアームの様々な変位段階中にレバーアームによって係合および圧縮されるようにアクチュエータ上に配置された弾性変形可能なストッパを備える。
【０００８】
好ましくは、アクチュエータは、内側ハブから延在するフランジであって、それぞれのレバーアームの一部が内部に捕捉される開口部の配列を有するフランジを備える。
【０００９】
好ましくは、各開口部は、実質的に円周方向に延びるスロットを含む。
【００１０】
好ましくは、各レバーアームは、アクチュエータと係合する当接部を含む。
【００１１】
好ましくは、各当接部は、アクチュエータと係合される支持部を含む。
【００１２】
好ましくは、アクチュエータは、互いに離間した関係で内側ハブに固定され、内側ハブから半径方向外方に延びる一対のフランジを含む。
【００１３】
好ましくは、外側ハブは、一対のフランジの間に配置される。
【００１４】
好ましくは、各レバーアームは、第１の脚と、そこから延びる第２の脚とを含む実質的にＬ字形であり、レバーアームは、第１の脚の第１の端部またはその近くで外側ハブにヒンジ式に取り付けられ、レバーアームは、第１の脚の第１の端部の遠位の位置でアクチュエータと係合する。
【００１５】
好ましくは、ばねは、それぞれのスポークとレバーアームの第２の脚との間に捕捉される。
【００１６】
好ましくは、ばねは圧縮ばねを含む。
【００１７】
好ましくは、各ばねは、内側ハブが外側ハブ内で吊り下げられて支持されるようにそれぞれのレバーアームを付勢してアクチュエータと接触するように配置される。
【００１８】
好ましくは、外側ハブは、互いに平行に離間した関係にある一対の環状プレートを含む。
【００１９】
好ましくは、トルク継手は、外側ハブに対する内側ハブの半径方向の移動、および内側ハブと外側ハブの間のトルクの同時伝達を可能にするように適合される。
【００２０】
好ましくは、トルク継手は、内側ハブおよび外側ハブに重なる環状トルクディスクであって、一対の直径方向に対向する第１の半径方向に延びるガイド経路、および、第１のガイド経路に垂直に配置された、一対の直径方向に対向する第２の半径方向に延びるガイド経路を含む環状トルクディスク；内側ハブに固定され、内側および外側ハブに対して適所にトルクディスクを保持するようにトルクディスクに重なるエンドキャップ；外側ハブから一対の第１のガイド経路内に延び、それに沿って変位可能な一対の第１のガイド、およびエンドキャップから一対の第２のガイド経路内に延び、それに沿って変位可能な一対の第２のガイドを含む。
【００２１】
好ましくは、エネルギー伝達システムは、ホイールの各面にトルク継手を含む。
【００２２】
好ましくは、アクチュエータは、エンドキャップまたは各エンドキャップを画定する。
【００２３】
好ましくは、エネルギー伝達システムは、内側ハブを通って軸方向に延びる車軸を含む。
【００２４】
好ましくは、エネルギー伝達システムはホイールを含む。
【００２５】
好ましくは、エネルギー伝達システムは自転車ホイールを含む。
【００２６】
本明細書で使用するとき、「偏心的に結合された」という用語は、２つの回転構成部品が、同時回転を容易にする一方で互いに対する偏心変位も可能である方法で互いに固定されることを意味することを意図する。
【００２７】
次に添付図面を参照して本発明を記載する。
【図面の簡単な説明】
【００２８】
【図１】本発明の実施形態による、自転車ホイールの形態であり、その駆動側から示されるエネルギー伝達システムの斜視図を示す。
【図２】図１に示される自転車ホイールの側面図を示す。
【図３】図１および２に示される自転車ホイールの端面図を示す。
【図４】自転車ホイールの中央部分の断面端面図を示す。
【図５】自転車ホイールの非駆動側からの分解斜視図を示し、ホイールの一部を形成するハブは、明確にするために省略されている。
【図６】図１〜５に示す自転車ホイールの一部を形成する外側ハブおよび接続されたスポークの片側の斜視図を示す。
【図７】本発明の自転車ホイールの主要な作動部品の選択範囲の側面図を示す。
【発明を実施するための形態】
【００２９】
ここで添付の図面を参照すると、自転車（図示せず）またはそれに類するものなどの人力車両に特定の用途を有する、全体的に１０として示される車両ホイールの形態のエネルギー伝達システムが示されており、ホイール１０は、後述するように、車両の乗り手および／または乗員の重さによって生成される負荷の一部の形のポテンシャルエネルギーを、車両ホイール１０に適用される駆動トルクの形の運動エネルギーに変換することにより、車両の効率を高めるように適合されている。
【００３０】
このようにして、例えば自転車を漕ぐことにより、車両に動力を供給する際に乗り手が必要とする労力を減らすこと、または乗り手の一定の労力に対して車両が移動する速度を上げることが可能である。しかしながら、本エネルギー伝達システムは、例えば発電等のために、ポテンシャルエネルギーを運動エネルギーに変換するための代替の用途を有し得ることが理解されるべきである。
【００３１】
ホイール１０は、構成および動作が実質的に従来型である内側ハブ１２を備え、内側ハブ１２は通常、車軸（図示せず）上で内側ハブ１２を支持するために、軸受け（図示せず）の配列を収容し、この車軸は内側ハブ１２から取り外し可能であってもなくてもよい。使用中、この車軸は、フレーム内の従来の一対のドロップアウトを介して、または任意の他の適切な手段によって、ホイール１０を自転車のフレーム（図示せず）に固定するために使用される。内側ハブ１２はまた、ホイール１０が自転車ホイール１０の形態である場合、クランク（図示せず）またはそれに類するものの従来のセットを介して駆動力が乗り手からホイール１０に伝達されることを可能にするために、１つまたは複数の歯車が固定され得る従来型のフリーハブ（図示せず）またはフリーホイール（図示せず）を含むが、電気自転車やいわゆる「ｅバイク」で今や一般的になっているように、自転車のホイール１０に動力を供給するために、または乗り手によってクランクで生み出された動力に対して電動アシストを提供するために、モータまたはそれに類するものを提供することもできる。大部分の自転車では、自転車ドライブトレインとして知られる上記の駆動構成要素は、自転車に着座する乗り手の視点から見て自転車の右側に位置する。したがって、自転車のこの側、特に後輪のこの側は「駆動」側として知られ、一方で反対側は「非駆動」側として知られている。
【００３２】
ホイール１０はさらに、内側ハブ１２を取り囲む外側ハブ１４を含み、これに対して内側ハブ１２は半径方向に変位可能であるが、内側ハブ１２と外側ハブ１４は、以下でより詳細に記載するように、それら２つの部品が、互いに対して同心または偏心して配置されているかどうかに関係なく同時に回転するようにトルクが外側ハブ１４と内側ハブ１２との間で伝達されることを可能にする方法で結合される。
【００３３】
ホイール１０はまた、使用時にチューブおよびタイヤ（図示せず）を従来の方法で取り付けることができる実質的に従来型のリム１６を備え、リム１６は、剛性スポーク１８の配列によって外側ハブ１４に固定される。従来の自転車スポークとは異なり、スポーク１８は、数はより少ないが、再び以下で詳細に記載するように、リム１６へのトルクの伝達において、そして最終的には車両ホイール１０が位置する地面への駆動力の伝達において重要な構造部品であるため、サイズおよび強度はより大きい。スポーク１８は、中実または中空であり得、金属、例えばアルミニウム合金等などの任意の適切な材料から形成され得、その場合、外側ハブ１４およびリム１６の両方に溶接または他の方法で固定され得る。あるいは、リム１６、スポーク１８、および外側ハブ１４は、金属または炭素繊維等の複合材料から単一の部品として成形することができ、これにより適切なレベルの強度および剛性を維持しながらホイール１０の重量が大幅に削減される。もちろん、以下の記載から、任意の他の適切な材料または材料の組み合わせを選択して、ホイール１０のこれらの構成要素を形成できることが理解されよう。
【００３４】
図示の実施形態では、ホイール１０は８つのスポーク１８を備えるが、この数は、例えば、使用中にホイール１０が負担する荷重に応じて増減できることが理解されよう。ホイール１０は、内側ハブ１２に固定され、内側ハブ１２から半径方向外方に延び、両側に１つずつある一対の環状フランジ２０の形態のアクチュエータをさらに含む。環状フランジ２０は、別個の構成要素として提供され、内側ハブ１２にボルト締めまたは他の方法で固定されてもよく、または内側ハブ１２のメインシェルの一部を形成し、そこから半径方向外向きに延びる一体型フランジ２０として提供されてもよい。フランジ２０のそれぞれは、円周方向に延びるスロット２２の配列の形態の開口部を含み、スロット２２の数はスポーク１８の数に対応し、したがって、図示の実施形態では８つのスロット２２が設けられる。各スロット２２は、以下に記載する理由により、それぞれのフランジ２２に湾曲した開口部またはスロット２２を画定するように、円周経路をたどるのが好ましい。
【００３５】
ホイール１０は、スポーク１８およびスロット２２のそれぞれに関連付けられたレバーアーム２４の円周方向に配置された配列をさらに含み、その第１の端部２６は、以下でより詳細に記載するように外側ハブ１４に回動可能に取り付けられる。レバーアーム２４は、実質的にＬ字形であり、Ｌ字形レバーアーム２４のエルボーは、一対の当接部２７を介して一対のフランジ２０に結合または係合され、一方の当接部は、各スロット２２の中に延びるように、したがってその内部に捕捉されるようにレバーアーム２４のエルボー領域の両側から横方向外側に突出している。各レバーアーム２４のエルボーは、第１の端部２４によって定められる支点から最も遠い点を表し、したがって、以下に記載するように、てこの効果を最も効率的に利用する。当接部２７は、好ましくは、スロット２２の幅よりもわずかに小さい直径を有する支持部２７によって画定される。したがって、使用中、各支持部２７は、それぞれのフランジ２０のスロット２２の１つに捕捉されて、支持部２７が、各レバーアーム２４と一対のフランジ２０との間の接続点における摩擦を最小限にしながらスロット２２内を長手方向に移動することを可能にする。スロット２２は、実質的に円周方向に延び、支持部２７の直径よりも長さが長く、後述するように、ホイール１０の動作中、スロット２２に沿った支持部２７の前記移動を可能にする。スロット２２の長さは、様々な要因によって、特にレバーアーム２４が外側ハブ１４上で回動するときに支持部２７が経験する運動の弧、したがってレバーアーム２４自体の寸法によって決定される。
【００３６】
実質的にホイール１０の半径方向に延在し、隣接するスポーク１８の対の間に位置するレバーアーム２４の第２の端部２８は、第２の端部２８と、隣接するスポーク１８の一方との間に捕捉される圧縮ばね３０に固定される。ばね３０は、レバーアーム２４をスポーク１８から離れるように付勢するように、したがって、スロット２２の上縁に対して半径方向外側にフォロワ２７を引くように構成され、スロット２２は後述するように、支持部２７の動き、ひいては支持部２７が構成部品であるレバーアーム２４の動きを制限するようにカムの面と同様に作用する。
【００３７】
特に図４を参照すると、レバーアーム２４を収容するために、外側ハブ１４は、好ましくは、互いに平行に離間した関係にある一対の環状プレート３２として形成され、プレート３２間の空間は、レバーアーム２４の配列を収容する。したがって、レバーアーム２４の第１の端部２６は、例えば、一対のプレート３２の間で軸方向に延びる適切なピンまたはスピンドル（図示せず）上で、外側ハブ１４を形成する一対の環状プレート３２の間で回動可能に捕捉される。環状プレート３２のそれぞれは、それぞれの支持部２７を支持する支持スピンドル（図示せず）がそのそれぞれを通って延びる半径方向に延びる開口部３３の配列を備えている。一対のフランジ２０は環状プレート３２の外側に位置し、したがって支持部２７は開口部３３を通過し、それぞれが開口部３３の１つと重なるスロット２２に捕捉される。開口部３３は、スロット２２に沿った支持部２７の少量の動きに対応する形状および寸法である。開口部３３の形状、位置および向きは、図５および６でより明確に見ることができる。図５は、ホイール１０の非駆動側の分解図を示し、明確にするために、内側ハブ１２および駆動側構成要素は省略されている。図６は、スポーク１８および外側ハブ１４の非駆動側プレート３２を示す。使用中、レバーアーム２４の配列は、外側ハブ１４を形成する一対のプレート３２の間に部分的に捕捉され、各レバーアーム２４の第２の端部２８は、隣接するスポーク１８の間に画定されたギャップを通って半径方向外側に突出する。
【００３８】
したがって、無負荷状態（自転車に乗り手がいない状態）では、ばね３０のそれぞれは、それぞれのレバーアーム２４をそれぞれのスポーク１８から離れるように付勢するように、したがって、支持部２７をそれぞれのスロット２２の半径方向外側縁部に対して半径方向外側に引くように作用し、その結果、一対の環状フランジ２０はその全周の周りに等しく負荷を受けることが理解される。その結果、ホイール１０の負荷が除去されると、ホイール１０に加えられる外部負荷がない場合、外側ハブ１４は内側ハブ１２の周りに実質的に同心に保持される。したがって、外側ハブ１４および接続されたリム１６は、レバーアーム２４、ばね３０および環状フランジ２０の円形配列によって、内側ハブ１２上で本質的に浮いている。この無負荷状態では、各支持部２７は、それぞれのスロット２２の長さに沿ったほぼ中間に位置する。
【００３９】
特に図７を参照すると、ホイール１０に負荷が加えられると、例えば、ホイール１０が取り付けられている自転車に乗り手が着座すると、乗り手の重さは、特に、既知の方法で車軸（図示せず）を介して自転車フレームに固定される内側ハブ１２を介してホイール１０に下向きに作用する。この重さベースの負荷は、重力の影響下で実質的に垂直方向に下向きに作用し、内側ハブ１２を下方に押し、この間、スポーク１８を介してリム１６にしっかりと接続されている、したがってホイール１０が位置する地面によって支持されている外側ハブ１４はその垂直位置に固定されたままである。
【００４０】
内側ハブ１２が外側ハブ１４に対して下方に移動すると、内側ハブ１２に固定された一対のフランジ２０も下方に移動し、その結果、内側ハブ１２と外側ハブ１４との間に相対移動が生じる。したがって、内側ハブ１２の下半分は、外側ハブ１４の下半分に向かって移動するが、内側ハブ１２の上半分は、外側ハブ１４の上半分から離れるように移動する。この相対移動中、支持部２７は、内側ハブ１２のフランジ２０のスロット２２に捕捉されたままであり、支持部２７はレバーアーム２４を介して外側ハブ１４に接続されている。その結果、半径方向内側に作用する力がフランジ２０によって、ホイール１０の上部領域に沿って位置する支持部２７に加えられる一方、半径方向外側に作用する力が、ホイール１０の下部領域に沿って位置する支持部２７に加えられる。これらの力は、内側ハブ１２および外側ハブ１４の間の最大相対変位が生じるホイール１０の上部および底部位置に向かって、したがって支持部２７のいわゆる１２時と６時の位置で最大である。上部領域に沿って、力は１２時と３時の位置の間で徐々に減少し、以下でより詳細に記載するように、３時と９時の位置の間では力は本質的に加えられない。
【００４１】
これにより、ホイール１０の上部周りのこれらのレバーアーム２４は、加えられた力の方向に半径方向内向きに回転し、スポーク１８に対してばね３０を圧縮するように第２の端部２８を関連するスポーク１８に向かって変位させ、その結果、ばね３０が反力をスポーク１８に加える。この反力は、外側ハブ１４の中心軸に対して接線方向に、かつそれから離れて作用し、スポーク１８、リム１６および外側ハブ１４を含むホイール１０の外側部分を回転させるように作用し、したがって、使用時にホイール１０を駆動する働きをするトルクをホイール１０のこの外側部分に効果的に加え、人の重さの一部を効果的に前進運動または駆動力に効果的に変換する。レバーアーム２４の回転変位により、それぞれの支持部２７が、ホイール１０の駆動側から見たときに反時計回り方向にそれぞれのスロット２２の左端に向かって変位する。ばね３０によって生成された反力に対する抵抗またはバックストップを提供して、各スポーク１８を介してリム１６に加えられた回転またはトルクに反力が伝達されることを保証するために、各スロット２２は、ホイール１０の駆動側から見た場合にスロット２２の左側に据えられたゴム製バンパ３４の形態の弾性変形可能なストッパを組み込む。バンパ３４は、スロット２２がほぼ１２時の位置にあるときに、支持部２７によって最初に接触されるように配置され、かつそのような寸法であり、反力が外側ハブ１４と内側ハブ１２との間に作用することを確実にする。各スロット２２および支持部２７が３時の位置に向かって回転するにつれ、支持部２７はバンパ３４の方向にスロット２２に沿ってさらなる変位を経験し、バンパ３４はこの変位を可能にする一方で、ばね３０によって生成された反力がスポーク１８を介して方向付けられてホイール１０を駆動することを確実にする抵抗を提供する。３時の位置の後、支持部２７は、バンパ３４から離れて接触から外れ、スロット２２の中心に向かって戻り始め、それぞれのばね３０を弛緩するようにレバーアーム２４を回動させ、したがって、バンパ３４によって提供される抵抗は、ばね３０によって生成されてリム１６に伝達される反力がないので、もはや必要ない。３時の位置と６時の位置の間で、支持部２７は、スロット２２の中心点に移動する。バンパ３４のサイズおよび形状は、必要に応じて変えることができ、また、例えば、支持部２７のさらなる変位に対する必要な抵抗を提供するばね等の形態であることもできることを理解されたい。
【００４２】
関連する車両（図示せず）の前進移動中にホイール１０が回転するとき、スロット２２のそれぞれは、フランジ２０が内側ハブ１２と共に回転するにつれて６時の位置から上方に最上位置に順次回転し、この際それぞれのレバーアーム２４は、関連するばね３０を回転および圧縮するように強いられ、したがって接続されたスポーク１８に力を加える。この力は、９時の位置から、ばね３０が最大の圧縮を経験する１２時の位置まで徐々に増加し、その後、ホイールが１２時から３時の位置に移動するときに、スポーク１８を介して再び伝達されて、ホイール１０を駆動する。このようにして、トルクは、主に１２時と３時の位置の間で、ホイール１０の外側部分に連続的に加えられ、ホイール１０の上部は地面と接触しておらず、したがってホイール１０の下部のように外側ハブ１４と地面の間に捕捉されない。この力をホイール１０の最下部でスポーク１８に加えると、自由に回転するホイールの上部に加えられるトルクとは対照的に、スポーク１８に対して横方向の力が働くだろう。
【００４３】
各スロット２２が最上位置から時計回りに回転して最下位置すなわちいわゆる６時の位置に入ると、フランジ２０と外側ハブ１４の間の相対位置が変わり、スロット２２は支持部２７を半径方向外側に押し、したがって、最下位置すなわち６時の位置にあるレバーアーム２４は、関連するスポーク１８から離れるように第２の端部２８を回動し、その結果、この最下位置でスポーク１８に対して力が加えられないように、ばね３０の弛緩がもたらされる。スポーク１８に加えられる力は、最上位置すなわち１２時の位置における最大の力から、最下位置すなわち６時の位置における力のない状態まで徐々に減少し、最大の反力は１２時と３時の位置の間で存在することが理解されよう。
【００４４】
トルクはスポーク１８を介してリム１６に加えられ、およびホイール１０のこの外側部分は内側ハブ１２にしっかりと接続されていないため、内側ハブ１２と外側ハブ１４をねじり結合し、ホイールのこれら２つの部分が互いに対して回転しないことを確実にする必要がある。互いに対する回転はホイール１０を動作不能にするであろう。ホイール１０のこれらの２つの部分間のトルク継手はまた、乗り手によって車両ドライブトレイン（図示せず）を介して内側ハブ１２から外側ハブ１４まで、およびそこからスポーク１８およびリム１６を経由して地面まで加えられるような従来のトルク伝達を容易し、関連する車両の前進移動をもたらすために必要である。
【００４５】
したがって、ホイール１０は、好ましくはホイール１０の各側にトルク継手を含み、このトルク継手はトルクディスク３６を含み、トルクディスク３６は、フランジ２０と、外側ハブ１４のそれぞれの環状プレート３２によって定められるホイール１０の側面との間にトルクディスク３６を捕捉または挟むためにエンドキャップを効果的に画定するそれぞれのフランジ２０によってホイール１０のそれぞれの側に対して適所に保持される。トルクディスク３６は、半径方向に延びる第１のガイド経路３８の対向ペアと、垂直に配置された半径方向に延びる第２のガイド経路４０の対向ペアとを含む。トルク継手はさらに、外側ハブ１４に固定され、外側ハブ１４から外側に突出し、第１のガイド経路３８内に捕捉された、第１のガイド４２の対応するペアに加えて、フランジ２０に固定され、フランジ２０から外側に突出し、第２のガイド経路４０内に捕捉された第２のガイド４４のペアをさらに含む。ガイド経路３８、４０およびガイド４２、４４は、ホイール１０が無負荷状態になり、したがって、外側ハブ１４が内側ハブ１２の周りに同心円状に配置されると、ガイド４２、４４がそれぞれのガイド経路３８、４０に沿ったほぼ中間に配置されるように配置される。この配置は、内側ハブ１２と外側ハブ１４との間の偏心結合または移動を可能にする一方、ホイール１０のこれらの２つの部分の間でトルクを伝達する能力を保持する。
【００４６】
このようにして、リム１６、スポーク１８および外側ハブ１４によって定められるホイール１０の外側部分は、レバーアーム２４およびばね３０によって内側ハブ１２の周りに吊り下げられ、したがって、負荷がかかると、内側ハブ１２の周りに偏心的に配置されるが、それにもかかわらずトルクは、内側ハブ１２と外側ハブ１４の間で伝達され得る。トルクディスク３６は本質的に内側ハブ１２と外側ハブ１４の間で浮遊し、ガイド経路３８、４０は、トルクディスク３６の半径方向移動を可能にする一方、第１および第２のガイド４２、４４を介して、２つの平行であるが同軸ではない回転ハブ１２、１４間のトルクの伝達も実行する。ホイール１０の回転中、トルクディスク３６は、内側ハブ１２からのトルクをフランジ２０および第２のガイド４４を経由して外側ハブ１４へ第１のガイド４２を経由して伝達する。各トルクディスク３６は、ホイール１０の回転中に円軌道を辿り、トルクディスク３６の中心点は、入力と出力、つまり内側ハブ１２と外側ハブ１４の中間点の周りで円軌道を辿る。トルクディスク３６は、内側ハブ１２と接触することなくこの軌道運動を促すために、拡大された中央開口部を備える。内側ハブ１２、外側ハブ１４およびトルクディスク３６の偏心位置が図７に示されている。
【００４７】
カバープレート４６が、好ましくはホイール１０の両側に設けられて、それぞれのフランジ２０に重なって、したがってスロット２２および支持部２７を両方の審美的理由から閉塞し、損傷を及ぼす物品または破片またはそれらに類するものの進入に対して動作構成要素をある程度保護する。
【００４８】
ばね３０のばね定数は、例えば自転車の乗り手の重さによって決定されるような、ホイール１０によって支えられる負荷の重さに応じて、最適な性能を得るために調整を必要とする場合があることが理解されよう。したがって、各ばね３０は、各ばね３０のばね定数を増加または減少させるために、適切な工具または手のいずれかで手動で調整され得る調整可能なテンショナ（図示せず）を備え得る。レバーアーム２４の寸法は、前述のように車両ホイール１０の適切な動作を提供するために、必要に応じて変更できることも理解されたい。
【００４９】
したがって、本発明の車両ホイール１０の形態のエネルギー伝達システムは、運転者の重さの一部を、車両ホイール１０に加えられるトルクに変換することによって、人力車両の運転者によって提供される従来の動力を補う手段を提供する。
【００５０】
本発明は、本明細書に記載された実施形態に限定されず、本発明の範囲から逸脱することなく修正または変更することができる。例えば、本発明によるエネルギー伝達システムは、ポテンシャルエネルギーを電気等に変換するために、またはシステムの動きに直接関連しない内部駆動構成要素等の変位の実行または支援のために使用され得る。
【図１】
2021500270.tif 000003
【図２】
2021500270.tif 000004
【図３】
2021500270.tif 000005
【図４】
2021500270.tif 000006
【図５】
2021500270.tif 000007
【図６】
2021500270.tif 000008
【図７】
2021500270.tif 000009
【国際調査報告】
2021500270.tif 000010
2021500270.tif 000011